(57)【要約】【課題】複数本のパイプを同時に固定できること。【解決手段】基礎パイプ１１と支柱パイプ１３を結合するパイプ結合ユニット１２であって、ユニット本体３０にスライドパーツ３１が差し込まれ、このスライドパーツの雄ねじ部４３に回転パーツ３２の雌ねじ部４５が螺合されて構成され、支柱パイプ１３を回転パーツ３２及びスライドパーツ３１に挿通させ、基礎パイプ１１をスライドパーツの保持部４０及びユニット本体３０の挿通穴３６に挿通させ、回転パーツ３２を回転させて、この回転パーツの雌ねじ部４５とスライドパーツの雄ねじ部４３を螺合させることにより、回転パーツのテーパ面４６がスライドパーツの縮径可能部４２を縮径動作させて支柱パイプ１３を固定し、且つスライドパーツが回転パーツ側へスライドして、基礎パイプ１１をスライドパーツの保持部４０の下端４０Ａとユニット本体３０の当接部３４、３５とにより挟持して固定するものである。【選択図】図６
0003118506.tif 000002
【実用新案登録請求の範囲】
【請求項１】
複数本の棒状体を互いに所定角度で結合する棒状体結合ユニットであって、
貫通穴が形成されると共に、この貫通穴を臨む位置で当該穴の軸心に対し上記所定角度に設定された対向位置に当接部が設けられたユニット本体と、
このユニット本体の上記貫通穴に摺動自在に差し込まれると共に、上記棒状体の一方を挿入可能とし、基端側に上記棒状体の他方を挿通して保持する保持部が形成され、先端側に縮径可能部、雄ねじ部が先端から順次設けられたスライドパーツと、
上記棒状体の一方が挿通される筒形状に構成されると共に、一端側に上記雄ねじ部に螺合する雌ねじ部が形成され、他端側に上記縮径可能部を縮径動作させる縮径動作部が設けられた回転パーツとを有し、
上記棒状体の一方を上記回転パーツ及び上記スライドパーツに挿通させ、上記棒状体の他方を上記スライドパーツの上記保持部に挿通させ、上記回転パーツを回転させて上記雌ねじ部と上記雄ねじ部を螺合させることにより、上記縮径動作部が上記縮径可能部を縮径動作させて上記棒状体の一方を固定し、且つ上記スライドパーツが上記回転パーツ側へスライドして、上記棒状体の他方を上記保持部と上記当接部により挟持して固定するよう構成されたことを特徴とする棒状体結合ユニット。
【請求項２】
衣服等を掛ける物干し具を備えた物干し器が複数本の棒状体を組み付けることで構成され、これらの複数本の棒状体を互いに所定角度で結合する棒状体結合ユニットであって、
貫通穴が形成されると共に、この貫通穴を臨む位置で当該穴の軸心に対し上記所定角度に設定された対向位置に当接部が設けられたユニット本体と、
このユニット本体の上記貫通穴に摺動自在に差し込まれると共に、上記棒状体の一方を挿入可能とし、基端側に上記棒状体の他方を挿通して保持する保持部が形成され、先端側に縮径可能部、雄ねじ部が先端から順次設けられたスライドパーツと、
上記棒状体の一方が挿通される筒形状に構成されると共に、一端側に上記雄ねじ部に螺合する雌ねじ部が形成され、他端側に上記縮径可能部を縮径動作させる縮径動作部が設けられた回転パーツとを有し、
上記棒状体の一方を上記回転パーツ及び上記スライドパーツに挿通させ、上記棒状体の他方を上記スライドパーツの上記保持部に挿通させ、上記回転パーツを回転させて上記雌ねじ部と上記雄ねじ部を螺合させることにより、上記縮径動作部が上記縮径可能部を縮径動作させて上記棒状体の一方を固定し、且つ上記スライドパーツが上記回転パーツ側へスライドして、上記棒状体の他方を上記保持部と上記当接部により挟持して固定するよう構成されたことを特徴とする棒状体結合ユニット。
【請求項３】
上記ユニット本体の当接部は、棒状体の他方を挿通するためにユニット本体に形成された穴の壁面として構成されたことを特徴とする請求項１または２に記載の棒状体結合ユニット。
【請求項４】
上記スライドパーツの縮径可能部は、周壁に所定間隔でスリットが形成されることにより構成されたことを特徴とする請求項１乃至３のいずれかに記載の棒状体結合ユニット。
【請求項５】
上記回転パーツの縮径動作部は、当該回転パーツの他端側内周面が先端へ向かい先細り形状に形成されたテーパ面として構成されたことを特徴とする請求項１乃至４のいずれかに記載の棒状体結合ユニット。
【請求項６】
上記回転パーツの一端には、当該回転パーツをユニット本体に回転自在に係止する係止爪が形成されたことを特徴とする請求項１乃至５のいずれかに記載の棒状体結合ユニット。
【請求項７】
上記ユニット本体の当接部には、棒状体の他方が軸心周りの回転することを阻止する回り止め手段が形成されたことを特徴とする請求項１乃至６のいずれかに記載の棒状体結合ユニット。
【請求項８】
上記回り止め手段は、棒状体の他方に突設された突出部に嵌合する嵌合溝であることを特徴とする請求項７に記載の棒状体結合ユニット。
【請求項９】
上記スライドパーツの基端と先端との間に、ユニット本体における貫通穴の内壁に接触するフランジが設けられたことを特徴とする請求項１乃至８のいずれかに記載の棒状体結合ユニット。
【請求項１０】
上記複数本の棒状体は、互いに直交配置された２本のパイプであることを特徴とする請求項１乃至９のいずれかに記載の棒状体結合ユニット。
【考案の詳細な説明】
【技術分野】
【０００１】
本考案は、複数本の棒状体、例えばパイプを互いに所定角度で結合させる棒状体結合ユニットに関する。
【背景技術】
【０００２】
多数のハンガーを有するハンガースタンドや、物干し竿を取り付ける物干し器などでは、支柱パイプが基礎パイプに立設されたものがある。特許文献１には、支柱パイプがＴ型継ぎ手などのパイプ結合ユニットを用いて基礎パイプに固定される物干し器が開示されている。
【０００３】
【特許文献１】特許第２９９７８８２号公報
【考案の開示】
【考案が解決しようとする課題】
【０００４】
ところが、上記特許文献１に記載の物干し器では、Ｔ型継ぎ手の垂直継ぎ手部分に支柱パイプ（支柱）を挿入してボルトにより固定し、上記Ｔ型継ぎ手の水平継ぎ手部分に基礎パイプ（接地枠）を挿入して他のボルトにより固定しており、結合されるパイプの数に応じた数の固定治具（ボルトなど）が必要である。
【０００５】
従って、上記物干し器を使用するための組立時や、収納するための組み付け変更時に、パイプをＴ型継ぎ手に対して移動させまたは取り外す作業は、固定治具としてのボルトをパイプ毎に緩め及び締め付けなければならず、煩雑な作業となっている。このため、一箇所を操作するだけで複数本のパイプ（棒状体）を移動でき、または固定できるパイプ結合ユニットが望まれていた。
【０００６】
本考案の目的は、上述の事情を考慮してなされたものであり、複数本の棒状体を同時に固定できる棒状体結合ユニットを提供することにある。
【課題を解決するための手段】
【０００７】
請求項１に記載の考案は、複数本の棒状体を互いに所定角度で結合する棒状体結合ユニットであって、貫通穴が形成されると共に、この貫通穴を臨む位置で当該穴の軸心に対し上記所定角度に設定された対向位置に当接部が設けられたユニット本体と、このユニット本体の上記貫通穴に摺動自在に差し込まれると共に、上記棒状体の一方を挿入可能とし、基端側に上記棒状体の他方を挿通して保持する保持部が形成され、先端側に縮径可能部、雄ねじ部が先端から順次設けられたスライドパーツと、上記棒状体の一方が挿通される筒形状に構成されると共に、一端側に上記雄ねじ部に螺合する雌ねじ部が形成され、他端側に上記縮径可能部を縮径動作させる縮径動作部が設けられた回転パーツとを有し、上記棒状体の一方を上記回転パーツ及び上記スライドパーツに挿通させ、上記棒状体の他方を上記スライドパーツの上記保持部に挿通させ、上記回転パーツを回転させて上記雌ねじ部と上記雄ねじ部を螺合させることにより、上記縮径動作部が上記縮径可能部を縮径動作させて上記棒状体の一方を固定し、且つ上記スライドパーツが上記回転パーツ側へスライドして、上記棒状体の他方を上記保持部と上記当接部により挟持して固定するよう構成されたことを特徴とするものである。
【０００８】
請求項２に記載の考案は、衣服等を掛ける物干し具を備えた物干し器が複数本の棒状体を組み付けることで構成され、これらの複数本の棒状体を互いに所定角度で結合する棒状体結合ユニットであって、貫通穴が形成されると共に、この貫通穴を臨む位置で当該穴の軸心に対し上記所定角度に設定された対向位置に当接部が設けられたユニット本体と、このユニット本体の上記貫通穴に摺動自在に差し込まれると共に、上記棒状体の一方を挿入可能とし、基端側に上記棒状体の他方を挿通して保持する保持部が形成され、先端側に縮径可能部、雄ねじ部が先端から順次設けられたスライドパーツと、上記棒状体の一方が挿通される筒形状に構成されると共に、一端側に上記雄ねじ部に螺合する雌ねじ部が形成され、他端側に上記縮径可能部を縮径動作させる縮径動作部が設けられた回転パーツとを有し、上記棒状体の一方を上記回転パーツ及び上記スライドパーツに挿通させ、上記棒状体の他方を上記スライドパーツの上記保持部に挿通させ、上記回転パーツを回転させて上記雌ねじ部と上記雄ねじ部を螺合させることにより、上記縮径動作部が上記縮径可能部を縮径動作させて上記棒状体の一方を固定し、且つ上記スライドパーツが上記回転パーツ側へスライドして、上記棒状体の他方を上記保持部と上記当接部により挟持して固定するよう構成されたことを特徴とするものである。
【０００９】
請求項３に記載の考案は、請求項１または２に記載の考案において、上記ユニット本体の当接部は、棒状体の他方を挿通するためにユニット本体に形成された穴の壁面として構成されたことを特徴とするものである。
【００１０】
請求項４に記載の考案は、請求項１乃至３のいずれかに記載の考案において、上記スライドパーツの縮径可能部は、周壁に所定間隔でスリットが形成されることにより構成されたことを特徴とするものである。
【００１１】
請求項５記載の考案は、請求項１乃至４のいずれかに記載の考案において、上記回転パーツの縮径動作部は、当該回転パーツの他端側内周面が先端へ向かい先細り形状に形成されたテーパ面として構成されたことを特徴とするものである。
【００１２】
請求項６記載の考案は、請求項１乃至５のいずれかに記載の考案において、上記回転パーツの一端には、当該回転パーツをユニット本体に回転自在に係止する係止爪が形成されたことを特徴とするものである。
【００１３】
請求項７記載の考案は、請求項１乃至６のいずれかに記載の考案において、上記ユニット本体の当接部には、棒状体の他方が軸心周りの回転することを阻止する回り止め手段が形成されたことを特徴とするものである。
【００１４】
請求項８記載の考案は、請求項７に記載の考案において、上記回り止め手段は、棒状体の他方に突設された突出部に嵌合する嵌合溝であることを特徴とするものである。
【００１５】
請求項９記載の考案は、請求項１乃至８のいずれかに記載の考案において、上記スライドパーツの基端と先端との間に、ユニット本体における貫通穴の内壁に接触するフランジが設けられたことを特徴とするものである。
【００１６】
請求項１０記載の考案は、請求項１乃至９のいずれかに記載の考案において、上記複数本の棒状体は、互いに直交配置された２本のパイプであることを特徴とするものである。
【考案の効果】
【００１７】
請求項1、２、３、４、５または１０に記載の考案によれば、棒状体の一方を回転パーツ及びスライドパーツに挿通させ、棒状体の他方をスライドパーツの保持部に挿通させ、この状態で回転パーツを回転させて、当該回転パーツの雌ねじ部をスライドパーツの雄ねじ部に螺合させることにより、回転パーツの縮径動作部がスライドパーツの縮径可能部を縮径動作させて棒状体の一方を固定し、且つスライドパーツが回転パーツ側へスライドして、棒状体の他方をスライドパーツの保持部とユニット本体の当接部により挟持して固定する。この結果、回転パーツを回転させる動作のみによって、複数本の棒状体を同時に固定することができる。
【００１８】
請求項６に記載の考案によれば、回転パーツの一端には、当該回転パーツをユニット本体に回転自在に係止する係止爪が形成されたことから、この係止爪により回転パーツをユニット本体に一体化でき、回転パーツの消失を防止できる。
【００１９】
請求項７または８に記載の考案によれば、ユニット本体の当接部には、棒状体の他方が軸心周りの回転することを阻止する回り止め手段が形成されたことから、この回り止め手段により、棒状体の他方の軸心回りの位置を位置決めできる。
【００２０】
請求項９に記載の考案によれば、スライドパーツのフランジがユニット本体における貫通穴の内壁に接触するので、スライドパーツのユニット本体に対する摺動抵抗を低減できる。
【考案を実施するための最良の形態】
【００２１】
以下、本考案を実施するための最良の形態を、図面に基づき説明する。
【００２２】
図１は、本考案に係る棒状体結合ユニットの一実施形態であるパイプ結合ユニットを具備するハンガースタンドを示す斜視図である。図３は、図１のパイプ結合ユニットを示す斜視図である。
【００２３】
図１に示すハンガースタンド１０は、洗濯物を干す物干し器や衣服の展示用に使用される。このハンガースタンド１０は、一対の基礎パイプ１１のそれぞれにパイプ結合ユニット１２を介して支柱パイプ１３が立設され、これらの支柱パイプ１３間をステー１４、連結パイプ１５Ａ及び１５Ｂを用いて連結して構成される。上記基礎パイプ１１にキャスター１６が設置されている。また、連結パイプ１５Ａ及び１５Ｂに、ハンガー取付部材としての複数個のハンガー取付治具１７が配設され、各ハンガー取付治具１７に一対のハンガー２０が取り付けられる。このハンガー２０は物干し具としても使用される。物干し具としては、上記ハンガー２０の他、物干し竿やタオル掛け等が用いられ、この物干し竿等を支柱パイプ１３間に掛け渡してもよい。
【００２４】
ハンガー取付治具１７は、図７に示すように、基部１８の両側に膨出部１９が一体成形され、この膨出部１９に取付穴２１が形成されている。また、基部１８の上部に形成された貫通穴２２に連結パイプ１５Ａ(図１)が挿通され、基部１８の下部に形成された嵌合溝２３に連結パイプ１５Ｂが嵌合されることで、ハンガー取付治具１７は、これらの連結パイプ１５Ａ及び１５Ｂにスライド可能に配設される。基部１８の頂部に枢支された係止片２４を貫通穴２２側に回動させることで、この貫通穴２２に挿通された連結パイプ１５Ａに係止片２４が当接して、ハンガー取付治具１７はスライドが阻止され、任意の位置に固定される。
【００２５】
上記ハンガー２０は、ハンガー本体２５と、このハンガー本体２５を支持する支持部材２６とを有し、１本の棒材または線材を折曲加工することにより一体に構成される。上記ハンガー本体２５は、互いに反対方向に延びる一対の掛止部２７及び２８を備え、これらの掛止部２７及び２８に、Ｔシャツ等の衣服の肩部が掛け止め可能とされる。
【００２６】
ハンガー２０の支持部材２６は、その端部が前記ハンガー取付治具１７の取付穴２１(図７)に挿入されて、このハンガー取付治具１７に対し水平方向に回動可能に取り付けられる。従って、ハンガー２０の使用時には、図１に示すように、支持部材２６をハンガー取付治具１７に対し直立する位置まで回動させ、ハンガー２０の非使用時には、図２に示すように、支持部材２６をハンガー取付治具１７に伏せる位置まで回動させることが可能となる。
【００２７】
さて、棒状体結合ユニットとしてのパイプ結合ユニット１２は、互いに直交配置された２本の棒状体（つまり、一方の棒状体が支柱パイプ１３、他方の棒状体が基礎パイプ１１）を結合するものであり、図３及び図５に示すように、ユニット本体３０、スライドパーツ３１及び回転パーツ３２を有して構成される。
【００２８】
上記ユニット本体３０には、図６に示すように、スライドパーツ３１が差し込まれる貫通穴３３が、図６における上下方向に貫通して形成される。また、ユニット本体３０の内部には、上記貫通穴３３を臨む対向位置に一対の当接部３４及び３５が形成される。これらの当接部３４及び３５は、貫通穴３３の軸心３３Ａに直交し、この軸心３３Ａに対称な位置に設けられる。具体的には、ユニット本体３０には貫通穴３３に直交して挿通穴３６が形成され、上記当接部３４及び３５は、この挿通穴３６の壁面のうち、貫通穴３３近傍の図６における上方部分として構成される。
【００２９】
上記挿通穴３６は、基礎パイプ１１が挿通される穴である。ユニット本体３０には、当接部３４及び３５を含む挿通穴３６の内壁面上部に、回り止め手段としての嵌合溝３７が形成されている。基礎パイプ１１には、キャスター１６（図１）が配置される下部と反対側の上部に突出部３８が、基礎パイプ１１の軸方向に沿って突設されている。上記嵌合溝３７は、図３及び図４に示すように、突出部３８に嵌合して基礎パイプ１１の軸心周りの回転を防止し、この基礎パイプ１１の軸心周りの回転位置を位置決めする。これにより基礎パイプ１１は、挿通穴３６に挿通されたときに、キャスター１６が常時下方に位置するように位置決めされる。
【００３０】
上記スライドパーツ３１は、図５及び図６に示すように、有底円筒形状の筒体３９の基端に、ループ形状の保持部４０が一体化されて構成され、この保持部４０に基礎パイプ１１が挿通されて保持される。このスライドパーツ３１は、図４に示すように、例えばユニット本体３０の下方から、このユニット本体３０の貫通穴３３に摺動自在に差し込まれると共に、筒体３９内に支柱パイプ１３の下端部が挿入可能とされる。また、筒体３９には、図５及び図６に示すように、先端部の周壁に複数のスリット４１が所定間隔で形成されて、筒体３９の直径を縮径可能とする縮径可能部４２が構成される。更に、この筒体３９の先端側外周に、上記縮径可能部４２に隣接して雄ねじ部４３が形成されている。尚、上記縮径可能部４２は、筒体３９の直径を縮径可能とするものであるため、スリットによって構成することなく、筒体３９の先端部の周壁を弾性体で構成することによっても達成可能である。
【００３１】
上記筒体３９の外周には、雄ねじ部４３と保持部４０との間にフランジ４４が形成される。このフランジ４４は、筒体３９の軸方向に所定間隔で形成されている。また、フランジ４４の外径は、ユニット本体３０の貫通穴３３における内径に略一致して設定される。従って、図４に示すように、スライドパーツ３１がユニット本体３０の貫通穴３３に差し込まれたときには、フランジ４４が上記貫通穴３３の内壁面に接触して、スライドパーツ３１のユニット本体３０に対する摺動が良好に案内されると共に、貫通穴３３の内壁面に対するスライドパーツ３１の摺動抵抗が低減される。
【００３２】
前記回転パーツ３２は、図５及び図６に示すように、支柱パイプ１３が挿通される円筒形状に構成される。この回転パーツ３２の一端側（図６の下端側）内周面に、スライドパーツ３１の雄ねじ部４３に螺合可能な雌ねじ部４５が形成される。また、回転パーツ３２の他端側（図６の上端側）内周面に、先端へ向かって先細り形状のテーパ面４６が形成され、このテーパ面４６が縮径動作部として機能する。つまり、このテーパ面４６は、図４に示すように、回転パーツ３２の雌ねじ部４５がスライドパーツ３１の雄ねじ部４３に螺合されて、スライドパーツ３１がユニット本体３０の貫通穴３３内を回転パーツ３２側へ向かってスライドするとき、このスライドパーツ３１の縮径可能部４２を内方向へ徐々に押圧して、この縮径可能部４２を縮径する。
【００３３】
また、回転パーツ３２の一端には、図４及び図６に示すように、ユニット本体３０の上端部４７に当接するエッジ部４８が形成されると共に、このエッジ部４８に隣接して係止爪４９が設けられる。この係止爪４９は、回転パーツ３２の直径方向外側へ突出し、且つ回転パーツ３２の周方向に沿ってリング状に形成される。この係止爪４９が、ユニット本体３０の上端部内側に周方向に沿って形成された係止凸部５０に係止されて、回転パーツ３２は、ユニット本体３０に対し回転自在に一体化される。
【００３４】
ユニット本体３０、スライドパーツ３１及び回転パーツ３２が上述のように構成されて図４に示すように組み付けられたパイプ結合ユニット１２は、回転パーツ３２を回転させることのみによって、基礎パイプ１１及び支柱パイプ１３を固定する。即ち、図４及び図６に示すように、支柱パイプ１３をパイプ結合ユニット１２の回転パーツ３２及びスライドパーツ３１内に挿入させ、基礎パイプ１１をパイプ結合ユニット１２におけるユニット本体３０の挿通穴３６及びスライドパーツ３１の保持部４０に挿通させる。この状態で、回転パーツ３２を回転させると、この回転パーツ３２の雌ねじ部４５はスライドパーツ３１の雄ねじ部４３に螺合する。これにより、回転パーツ３２のテーパ面４６がスライドパーツ３１の縮径可能部４２を縮径して、この縮径可能部４２が支柱パイプ１３を押圧して固定する。と同時に、スライドパーツ３１が回転パーツ３２側へスライドして、スライドパーツ３１の保持部４０の下端４０Ａとユニット本体３０の当接部３４及び３５とにより基礎パイプ１１を挟持して固定する。このようにして、基礎パイプ１１及び支柱パイプ１３がパイプ結合ユニット１２を用いて固定され結合される。
【００３５】
図１に示すように、ハンガースタンド１０及びハンガー２０は、使用時には、パイプ結合ユニット１２の回転パーツ３２を緩めて、パイプ結合ユニット１２を基礎パイプ１１の長手方向略中央位置にスライドして位置付け、また、支柱パイプ１３をパイプ結合ユニット１２から引き出す。次に、パイプ結合ユニット１２の回転パーツ３２を回転し締め付けて、パイプ結合ユニット１２の基礎パイプ１１に対するスライド位置を固定し、支柱パイプ１３のパイプ結合ユニット１２に対する引出し位置を固定する。
【００３６】
更に、ハンガー取付治具１７の係止片２４(図７)を貫通穴２２から離れる方向に回動させて、ハンガー取付治具１７を連結パイプ１５Ａ及び１５Ｂの長手方向に移動させ、略等間隔に位置付ける。その後、ハンガー取付治具１７の係止片２４を貫通穴２２側に回動させて、ハンガー取付治具１７の連結パイプ１５Ａ及び１５Ｂに対する位置を固定し、ハンガー２０をハンガー取付治具１７に対し直立させる。
【００３７】
ハンガースタンド１０及びハンガー２０の非使用時には、図２に示すように、ハンガー取付治具１７の係止片２４(図７)を貫通穴２２から離れる方向に回動させて、ハンガー取付治具１７を連結パイプ１５Ａ及び１５Ｂの長手方向の片側まで移動させる。次に、ハンガー２０をハンガー取付治具１７に対して伏せる位置まで回動させる。更に、パイプ結合ユニット１２の回転パーツ３２を緩めて、支柱パイプ１３をパイプ結合ユニット１２内に戻す。その後、パイプ結合ユニット１２を基礎パイプ１１の長手方向片側位置までスライドさせ、基礎パイプ１１及びパイプ結合ユニット１２を支柱パイプ１３周りに約９０度回転させて、２本の基礎パイプ１１を接触させる。これにより、ハンガー２０を含めたハンガースタンド１０の非使用時のスペースが低減される。
【００３８】
パイプ結合ユニット１２は、上述のように構成されたことから、次の効果（１）〜（４）を奏する。
【００３９】
（１）支柱パイプ１３をパイプ結合ユニット１２における回転パーツ３２及びスライドパーツ３１の筒体３９に挿通させ、基礎パイプ１１をパイプ結合ユニット１２におけるユニット本体３０の挿通穴３６及びスライドパーツ３１の保持部４０に挿通させる。この状態で、回転パーツ３２を回転させて、当該回転パーツ３２の雌ねじ部４５をスライドパーツ３１の雄ねじ部４３に螺合させる。これにより、回転パーツ３２のテーパ面４６がスライドパーツ３１の縮径可能部４２を縮径動作させて支柱パイプ１３を固定する。と同時に、スライドパーツ３１が回転パーツ３２側へスライドして、基礎パイプ１１をスライドパーツ３１の保持部４０の下端４０Ａとユニット本体３０の当接部３４及び３５とにより挟持して固定する。これらの結果、パイプ結合ユニット１２の回転パーツ３２を回転させる動作のみによって、パイプ結合ユニット１２を用い、基礎パイプ１１及び支柱パイプ１２を同時に固定することができる。
【００４０】
（２）パイプ結合ユニット１２における回転パーツ３２の一端には、当該回転パーツ３２をユニット本体３０の係止凸部５０に回転自在に係止する係止爪４９が形成されたことから、この係止爪４９により回転パーツ３２をユニット本体３０に一体化でき、回転パーツ３２の消失を防止できる。
【００４１】
（３）パイプ結合ユニット１２のユニット本体３０における当接部３４及び３５には、基礎パイプ１１の突出部３８に嵌合して、当該基礎パイプ１１が軸心周りに回転することを防止する嵌合溝３７が形成されたことから、この嵌合溝３７により、基礎パイプ１１の軸心周りの位置を位置決めできる。
【００４２】
（４）パイプ結合ユニット１２におけるスライドパーツ３１のフランジ４４がユニット本体３０における貫通穴３３の内壁面に接触するので、スライドパーツ３１のユニット本体３０に対する摺動を良好に案内できると共に、スライドパーツ３１のユニット本体に対する摺動抵抗を低減でき、これらの結果、スライドパーツ３１のスムーズな摺動を実現できる。
【００４３】
以上、本考案を上記実施の形態に基づいて説明したが、本考案はこれに限定されるものではない。
【００４４】
例えば、上記実施の形態では、パイプ結合ユニット１２において回転パーツ３２に係止爪４９が形成され、ユニット本体３０に係止凸部５０が形成されるものを述べたが、図８及び図９に示すように、これらの係止爪４９及び係止凸部５０が省略されてもよい。この場合には、スライドパーツ３１をユニット本体３０における貫通穴３３内へ、ユニット本体３０の上方または下方から差し込むことができる。また、回転パーツ３２の雌ねじ部４５をスライドパーツ３１の雄ねじ部４３に予め螺合して、回転パーツ３２とスライドパーツ３１とを一体化し、この状態で、スライドパーツ３１をユニット本体３０の貫通穴３３内に上方から挿通することができる。
【００４５】
また、上記実施の形態では、基礎パイプ１１と支柱パイプ１３とがパイプ結合ユニット１２を用いて直交して結合されるものを述べた。しかし、パイプ結合ユニット１２のユニット本体３０に形成される貫通穴３３と挿通穴３６とを９０度以外の所定角度に設定することで、２本のパイプを、パイプ結合ユニット１２を用いて９０度以外の所定角度で結合させることができる。
【００４６】
また、上記実施の形態では、パイプ結合ユニット１２におけるユニット本体３０に挿通穴３６が形成されたものを述べたが、上記挿通穴３６の下半部を省略した断面半円形状の溝を、挿通穴３６に代えてユニット本体３０に形成してもよい。
【００４７】
更に、上記実施の形態では、２本のパイプ（基礎パイプ１１と支柱パイプ１３）を結合させるものを述べた。しかし、図５及び図６の２点鎖線に示す他の保持部５１を保持部４０の下端４０Ａに一体に形成してスライドパーツ３１を構成し、この保持部５１に挿通されたパイプ５３を、当該保持部５１とユニット本体３０の下端部５２とにより挟持することで、パイプ結合ユニット１２により、３本のパイプ（基礎パイプ１１、支柱パイプ１３、パイプ５３）を互いに所定角度で結合することができる。４本以上のパイプの結合も、パイプ結合ユニット１２を同様に構成することで実現できる。
【図面の簡単な説明】
【００４８】
【図１】本考案に係る棒状体結合ユニットの一実施形態であるパイプ結合ユニットを具備するハンガースタンドを示す斜視図である。
【図２】図１のハンガー及びハンガースタンドの収納状態を示す斜視図である。
【図３】図１のパイプ結合ユニットを示す斜視図である。
【図４】図３のパイプ結合ユニットの断面図である。
【図５】図３のパイプ結合ユニットの分解斜視図である。
【図６】図３のパイプ結合ユニットの分解断面図である。
【図７】図１のハンガー取付治具を示す斜視図である。
【図８】本考案に係る棒状体結合ユニットの他の実施形態であるパイプ結合ユニットを示す図４に対応する断面図である。
【図９】図８の回転パーツの正面図である。
【符号の説明】
【００４９】
１１  基礎パイプ（他方の棒状体）
１２  パイプ結合ユニット（棒状体結合ユニット）
１３  支柱パイプ（一方の棒状体）
３０  ユニット本体
３１  スライドパーツ
３２  回転パーツ
３３  貫通穴
３４、３５  当接部
３３Ａ  軸心
３６  挿通穴
３７  嵌合溝（回り止め手段）
３８  突出部
４０  保持部
４１  スリット
４２  縮径可能部
４３  雄ねじ部
４４  フランジ
４５  雌ねじ部
４６  テーパ面（縮径動作部）
４９  係止爪
５０  係止凸部
【図１】
0003118506.tif 000003
【図２】
0003118506.tif 000004
【図３】
0003118506.tif 000005
【図４】
0003118506.tif 000006
【図５】
0003118506.tif 000007
【図６】
0003118506.tif 000008
【図７】
0003118506.tif 000009
【図８】
0003118506.tif 000010
【図９】
0003118506.tif 000011